(57)【要約】【課題】狭い保管場所にも対応でき、しかも在庫管理を容易にする。【解決手段】エアコンの室外機を載置するためのエアコン室外機用置き台１であって、室外機の下面の第１隅部が載せられる第１載置部１１と、室外機の下面における第１隅部の隣の第２隅部が載せられる第２載置部２１と、第１載置部１１および第２載置部２１に設けられた連結部１２、２２と、連結部１２、２２が設けられた載置部の相手側の載置部に設けられ、連結部１２、２２をスライド可能な状態で受け入れる受入れ部１３、２３と、受入れ部１３、２３に受け入れられた連結部１２、２２を所定位置で固定して両載置部１１、２１の間隔を規定する固定手段とを具備する。【選択図】      図１
0003151728.tif 000002
【実用新案登録請求の範囲】
【請求項１】
エアコンの室外機を載置するためのエアコン室外機用置き台であって、
前記室外機の下面の第１隅部が載せられる第１載置部と、
前記室外機の下面における第１隅部の隣の第２隅部が載せられる第２載置部と、
前記第１載置部および前記第２載置部の両載置部の少なくとも一方に設けられた連結部と、
前記連結部が設けられた載置部の相手側の載置部に設けられ、前記連結部をスライド可能な状態で受け入れる受入れ部と、
前記受入れ部に受け入れられた前記連結部を所定位置で固定して前記第１載置部と前記第２載置部との両載置部の間隔を規定する固定手段とを具備することを特徴とするエアコン室外機用置き台。
【請求項２】
請求項１に記載のエアコン室外機用置き台において、
前記連結部が、前記第１載置部に設けられた第１連結部と、前記第２載置部に設けられた第２連結部とを有し、
前記受入れ部が、前記第１載置部に設けられ、前記第２連結部を受け入れる第１受入れ部と、前記第２載置部に設けられ、前記第１連結部を受け入れる第２受入れ部とを有し、
前記固定手段が、前記第１受入れ部に受け入れられた前記第２連結部を固定して前記両載置部の間隔を規定する第１固定手段と、前記第２受入れ部に受け入れられた前記第１連結部を固定して前記両載置部の間隔を規定する第２固定手段とを有することを特徴とするエアコン室外機用置き台。
【請求項３】
請求項２に記載のエアコン室外機用置き台において、
前記第１連結部と前記第２連結部、前記第１受入れ部と前記第２受入れ部、および第１固定手段と第２固定手段とのそれぞれが同一構成であることを特徴とするエアコン室外機用置き台。
【請求項４】
請求項３に記載のエアコン室外機用置き台において、
前記第１連結部は、前記第１載置部から延出された第１連結片を備え、前記第２連結部は、前記第２載置部から延出された第２連結片を備え、
前記第１受入れ部は、前記第２連結片をスライド可能に受け入れる、下側が開口した第１凹状部を備え、前記第２受入れ部は、前記第１連結片をスライド可能に受け入れる、下側が開口した第２凹状部を備え、
前記第１固定手段は前記第２連結片と前記第１凹状部とに対し設けられ、前記第２固定手段は前記第１連結片と前記第２凹状部とに対し設けられていることを特徴とするエアコン室外機用置き台。
【請求項５】
請求項４に記載のエアコン室外機用置き台において、
前記第２連結片は延出方向に沿って形成された脱落防止部を有し、この第２連結片を受け入れる前記第１受入れ部は、前記第２連結片の脱落防止部をスライド可能に保持する第１保持部を有し、前記第１連結片は延出方向に沿って形成された脱落防止部を有し、この第１連結片を受け入れる前記第２受入れ部は、前記第１連結片の脱落防止部をスライド可能に保持する第２保持部を有することを特徴とするエアコン室外機用置き台。
【請求項６】
請求項５に記載のエアコン室外機用置き台において、
前記第２連結片の脱落防止部が凸状レールで、前記第１保持部が凹状保持部であり、前記第１連結片の脱落防止部が凸状レールで、前記第２保持部が凹状保持部であることを特徴とするエアコン室外機用置き台。
【請求項７】
請求項３乃至６のいずれかに記載のエアコン室外機用置き台において、
前記第１固定手段は、前記第１受入れ部に設けた間隔規定用係止部と、前記第２連結片にその延出方向の複数箇所に設けられ、そのうちの１つが前記係止部で係止されることにより前記両載置部の間隔を規定した状態で前記両載置部を固定する被係止部とを有し、
前記第２固定手段は、前記第２受入れ部に設けた間隔規定用係止部と、前記第１連結片にその延出方向の複数箇所に設けられ、そのうちの１つが前記第１受入れ部の係止部で係止されることにより前記両載置部の間隔を規定した状態で前記両載置部を固定する被係止部とを有することを特徴とするエアコン室外機用置き台。
【請求項８】
請求項７に記載のエアコン室外機用置き台において、
前記第１固定手段における係止部と被係止部とのうちの一方が凹部または孔部で、他方が凸部であり、前記第２固定手段における係止部と被係止部とのうちの一方が凹部または孔部で、他方が凸部であることを特徴とするエアコン室外機用置き台。
【請求項９】
請求項３乃至８のいずれか１つに記載のエアコン室外機用置き台を一対で構成するための置き台用部材であって、１つの載置部と１つの受入れ部と１つの凹状部と１つの連結片とを有し、もう１つの部材とともに前記置き台を構成する置き台用部材。
【請求項１０】
請求項９に記載の置き台用部材において、
前記載置部、前記受入れ部、前記凹状部及び連結片が合成樹脂の一体成形品からなることを特徴とする置き台用部材。
【考案の詳細な説明】
【技術分野】
【０００１】
本考案は、エアコン（エアコンディショナーの略）の室外機を載置するためのエアコン室外機用置き台及び、そのエアコン室外機用置き台を一対で構成する置き台用部材に関する。
【背景技術】
【０００２】
上述したエアコン室外機用置き台１００としては、図７に示すように室外機１０１の下側であって、エア噴き出し方向とは反対方向Ａから見て左右の両側に一般的に配置される。
【０００３】
室外機には種々のサイズのものがあるので、上記置き台１００としては、室外機の長さ寸法に合わせて予め作製された、適当な長さのものを選択して使用される（例えば、実用新案登録文献１等参照）。
【先行技術文献】
【特許文献】
【０００４】
【特許文献１】登録意匠番号９４５１３０
【考案の概要】
【考案が解決しようとする課題】
【０００５】
したがって、従来の置き台の場合には、複数種類のサイズのものを用意、保管する必要があり、広い保管場所を要することや、在庫管理が大変である等の不都合があった。
【０００６】
本考案は、このような従来技術の課題を解決するためになされたものであり、狭い保管場所にも対応でき、しかも在庫管理を容易にすることができるエアコン室外機用置き台及び置き台用部材を提供することを目的とする。
【課題を解決するための手段】
【０００７】
請求項１に係る考案は、エアコンの室外機を載置するためのエアコン室外機用置き台であって、前記室外機の下面の第１隅部が載せられる第１載置部と、前記室外機の下面における第１隅部の隣の第２隅部が載せられる第２載置部と、前記第１載置部および前記第２載置部の両載置部の少なくとも一方に設けられた連結部と、前記連結部が設けられた載置部の相手側の載置部に設けられ、前記連結部をスライド可能な状態で受け入れる受入れ部と、前記受入れ部に受け入れられた前記連結部を所定位置で固定して前記第１載置部と前記第２載置部との両載置部の間隔を規定する固定手段とを具備することを特徴とする。
【０００８】
請求項２に係る考案は、請求項１に記載のエアコン室外機用置き台において、前記連結部が、前記第１載置部に設けられた第１連結部と、前記第２載置部に設けられた第２連結部とを有し、前記受入れ部が、前記第１載置部に設けられ、前記第２連結部を受け入れる第１受入れ部と、前記第２載置部に設けられ、前記第１連結部を受け入れる第２受入れ部とを有し、前記固定手段が、前記第１受入れ部に受け入れられた前記第２連結部を固定して前記両載置部の間隔を規定する第１固定手段と、前記第２受入れ部に受け入れられた前記第１連結部を固定して前記両載置部の間隔を規定する第２固定手段とを有することを特徴とする。
【０００９】
請求項３に係る考案は、請求項２に記載のエアコン室外機用置き台において、前記第１連結部と前記第２連結部、前記第１受入れ部と前記第２受入れ部、および第１固定手段と第２固定手段とのそれぞれが同一構成であることを特徴とする。
【００１０】
請求項４に係る考案は、請求項３に記載のエアコン室外機用置き台において、前記第１連結部は、前記第１載置部から延出された第１連結片を備え、前記第２連結部は、前記第２載置部から延出された第２連結片を備え、前記第１受入れ部は、前記第２連結片をスライド可能に受け入れる、下側が開口した第１凹状部を備え、前記第２受入れ部は、前記第１連結片をスライド可能に受け入れる、下側が開口した第２凹状部を備え、前記第１固定手段は前記第２連結片と前記第１凹状部とに対し設けられ、前記第２固定手段は前記第１連結片と前記第２凹状部とに対し設けられていることを特徴とする。
【００１１】
請求項５に係る考案は、請求項４に記載のエアコン室外機用置き台において、前記第２連結片は延出方向に沿って形成された脱落防止部を有し、この第２連結片を受け入れる前記第１受入れ部は、前記第２連結片の脱落防止部をスライド可能に保持する第１保持部を有し、前記第１連結片は延出方向に沿って形成された脱落防止部を有し、この第１連結片を受け入れる前記第２受入れ部は、前記第１連結片の脱落防止部をスライド可能に保持する第２保持部を有することを特徴とする。
【００１２】
請求項６に係る考案は、請求項５に記載のエアコン室外機用置き台において、前記第２連結片の脱落防止部が凸状レールで、前記第１保持部が凹状保持部であり、前記第１連結片の脱落防止部が凸状レールで、前記第２保持部が凹状保持部であることを特徴とする。
【００１３】
請求項７に係る考案は、請求項３乃至６のいずれかに記載のエアコン室外機用置き台において、前記第１固定手段は、前記第１受入れ部に設けた間隔規定用係止部と、前記第２連結片にその延出方向の複数箇所に設けられ、そのうちの１つが前記係止部で係止されることにより前記両載置部の間隔を規定した状態で前記両載置部を固定する被係止部とを有し、前記第２固定手段は、前記第２受入れ部に設けた間隔規定用係止部と、前記第１連結片にその延出方向の複数箇所に設けられ、そのうちの１つが前記第１受入れ部の係止部で係止されることにより前記両載置部の間隔を規定した状態で前記両載置部を固定する被係止部とを有することを特徴とする。
【００１４】
請求項８に係る考案は、請求項７に記載のエアコン室外機用置き台において、前記第１固定手段における係止部と被係止部とのうちの一方が凹部または孔部で、他方が凸部であり、前記第２固定手段における係止部と被係止部とのうちの一方が凹部または孔部で、他方が凸部であることを特徴とする。
【００１５】
請求項９に係る考案は、請求項３乃至８のいずれか１つに記載のエアコン室外機用置き台を一対で構成するための置き台用部材であって、１つの載置部と１つの受入れ部と１つの凹状部と１つの連結片とを有し、もう１つの部材とともに前記置き台を構成する。
【００１６】
請求項１０に係る考案は、請求項９に記載の置き台用部材において、前記載置部、前記受入れ部、前記凹状部及び連結片が合成樹脂の一体成形品からなることを特徴とする。
【考案の効果】
【００１７】
請求項１に係る考案による場合には、受入れ部がスライド可能な状態で連結部を受入れる構成なので、受入れ部への挿入量を調整し、その上で、連結部を所定位置に、固定手段により固定することで、両載置部の間隔が規定される。したがって、エアコン室外機のサイズに応じた種類の置き台を用意する必要がなくなる。このため、連結部を有する載置部と、受入れ部を有する載置部とを用意しておけばよく、狭い保管場所にも対応でき、しかも在庫管理を容易にすることができる。
【００１８】
請求項２に係る考案による場合には、第１受入れ部（第２受入れ部）に受け入れられた第２連結部（第１連結部）を所定位置に、第１固定手段（第２固定手段）により固定することで、両載置部の間隔が規定される。
【００１９】
請求項３に係る考案による場合には、同一構成の２つの部材を用いることができるので、１種類の部材で、２つの載置部を有する置き台を作製することが可能になる。このため、請求項１０のように樹脂成形を行う場合、同じ成形型で対応することが可能となる。
【００２０】
請求項５に係る考案による場合には、第１連結部（第２連結部）の脱落防止部を第２保持部（第１保持部）によりスライド可能に保持するので、下面の全域が開口した置き台用部材であっても、両連結部の脱落を防止することができる。
【００２１】
請求項７に係る考案による場合には、複数設けた被係止部に係止部を係止すると所定位置に両載置部を固定することができる。したがって、係止部の配設位置に応じた間隔（長さ）調整が可能となる。上記係止部と被係止部として、請求項８のように凹部と凸部とを用いることができる。
【図面の簡単な説明】
【００２２】
【図１】本考案の一実施形態に係るエアコン室外機用置き台を示す平面図であり、（ａ）は大きいサイズ用に間隔調整をしたもので、（ｂ）は小さいサイズ用に間隔調整をしたものである。
【図２】図１のエアコン室外機用置き台に用いる置き台用部材を示す外観斜視図（表面の凹凸を省略して表す）である。
【図３】図２の置き台用部材を示す平面図である。
【図４】図２の置き台用部材を示す正面図である。
【図５】図２の置き台用部材を示す右側面図である。
【図６】図２の置き台用部材を２つ重ねた状態を示す図であり、（ａ）は正面図、（ｂ）は右側面図である。
【図７】従来のエアコン室外機用置き台の使用状態の一例を示す斜視図である。
【考案を実施するための形態】
【００２３】
以下に、本考案の一実施形態に係るエアコン室外機用置き台を具体的に説明する。
【００２４】
図１は本考案の一実施形態に係るエアコン室外機用置き台を示す平面図であり、（ａ）は大きいサイズ用に間隔調整をしたもので、（ｂ）は小さいサイズ用に間隔調整をしたものであり、図２は図１のエアコン室外機用置き台に用いる置き台用部材を示す外観斜視図（表面の凹凸を省略して表す）である。また、図３は図２の置き台用部材を示す平面図、図４は図２の置き台用部材を示す正面図、図５は図２の置き台用部材を示す右側面図である。なお、図１（ｂ）では第１載置部１１と第２載置部２１の上表面に形成した凹凸を省略して表している。また、図２では前記上表面だけでなく側面に形成した凹凸も省略して表している。
【００２５】
このエアコン室外機用置き台１は、一対の置き台用部材１０、２０を連結したものであり、第１の部材１０は、第１載置部１１と、この第１載置部１１に設けられた第１連結部１２および第１受入れ部１３とを有し、第２の部材２０は、第２載置部２１と、この第２載置部２１に設けられた第２連結部２２および第２受入れ部２３とを有する。これら第１の部材１０および第２の部材２０は、共に下面の全域が開口した同一構成のもので、全体が合成樹脂の一体成形品からなる。
【００２６】
第１載置部１１と第２載置部２１とは同一構成であり、また、第１連結部１２と第２連結部２２、第１受入れ部１３と第２受入れ部２３とのそれぞれは同一構成である。前記第１受入れ部１３には第２連結部２２を受け入れ、第２受入れ部２３には第１連結部１２を受け入れるようになっている。
【００２７】
第１載置部１１は、エアコン室外機の下面の第１隅部、例えば右奥側の隅部（Ｂ１）が載置されるもので、第２載置部２１は第１隅部の隣の第２隅部、例えば右手前側の隅部（Ｂ２）が載置されるものである（図７参照）。
【００２８】
第１載置部１１は、矩形状をした高い天井の第１載置部本体１１ａと、この第１載置部本体１１ａの側面から外方に突出した低い天井の延設部１１ｂとを有する。第２載置部２１は、矩形状をした高い天井の第２載置部本体２１ａと、この第２載置部本体２１ａの側面から外方に突出した低い天井の延設部２１ｂとを有する。第１載置部本体１１ａと第２載置部本体２１ａの外表面に形成した凹凸は、滑り止め用でかつ強度補強用のものである。
【００２９】
延設部１１ｂから第１載置部本体１１ａとは反対側に、第１連結部１２の第１連結片１２ａが延出して形成されている。この第１連結片１２ａは延設部１１ｂの幅方向Ｗの約半分の幅寸法で形成されていて、延設部１１ｂの残りの幅部分で第１受入れ部１３が形成されている。第１連結片１２ａは平坦な上表面１２ｂを有する概略コの字状断面に形成されている。
【００３０】
延設部２１ｂから第２載置部本体２１ａとは反対側に、第２連結部２２の第２連結片２２ａが延出して形成されている。この第２連結片２２ａは延設部２１ｂの幅方向Ｗの約半分の幅寸法で形成されていて、延設部２１ｂの残りの幅部分で第２受入れ部２３が形成されている。第２連結片２２ａは平坦な上表面２２ｂを有する概略コの字状断面に形成されている。
【００３１】
上記第２連結片２２ａを受け入れる第１受入れ部１３は、天井面１３ｃが平坦に形成されていて、第１載置部本体１１ａから最も離れた壁面に、下側が開口した第１凹状部１３ａを有し、第１凹状部１３ａの上辺（天井面１３ｃ）には係止部としての凸部１３ｂが下向きに突出して形成されている。
【００３２】
また、前記第２連結片２２ａの幅方向Ｗの両側面には、延出方向Ｃに沿って脱落防止部としての凸状レール２２ｄ、２２ｅが設けられている。第１受入れ部１３の第１凹状部１３ａは、その凸状レール２２ｄ、２２ｅの上面を受ける段付部１３ｄ、１３ｅを有し、一方の段付部１３ｄは、延設部１１ｂの幅方向両側の側面１１ｂ−１、１１ｂ−２における第１連結片１２ａとは反対側の側面１１ｂ−１に、前記延出方向Ｃに沿って全長にわたり形成されている。
【００３３】
第１受入れ部１３の内面であって、第１凹状部１３ａから第１載置部本体１１ａ側へ向けて少し入った箇所に、凸状レール２２ｄをスライド可能に保持する保持部として機能する凹状保持部１３ｆが形成されている。この凹状保持部１３ｆは、前記側面１１ｂ−１に設けられた突起１３ｇと段付部１３ｄとの間で形成される。なお、凹状保持部１３ｆで凸状レール２２ｄが保持された状態のとき、第１連結片１２ａの上表面１２ｂと天井面２３ｃとの間の隙間は短いものとなる。また、その側面１１ｂ−１には、凸状レール２２ｄの保持状態を確認するための窓１３ｈが設けられている。
【００３４】
前記第２連結片２２ａの上表面２２ｂには、この第２連結片２２ａが延出された方向Ｃに沿った複数箇所、図示例では４箇所に被係止部としての貫通する孔部２２ｃが形成されている。上記孔部２２ｃに代えて、窪んだ凹部であってもよい。なお、孔部２２ｃまたは凹部の数は、２以上の任意の数としてもよい。
【００３５】
上記第２連結片２２ａは、上表面２２ｂを受入れ部１３の平坦な天井面１３ｃに対面させて第１凹状部１３ａの内部に入れ、４箇所に設けた孔部２２ｃの１つに凸部１３ｂを係止して第１受入れ部１３に固定される。この固定により、第１載置部１１と第２載置部２１との間隔が規定される。また、これら４つの孔部２２ｃと１つの凸部１３ｂとで、第１固定手段が構成される。
【００３６】
上記第１連結片１２ａを受け入れる第２受入れ部２３は、天井面２３ｃを平坦に形成されていて、第２載置部本体２１ａから最も離れた壁面に、下側が開口した第２凹状部２３ａを有し、第２凹状部２３ａの上辺（天井面２３ｃ）には係止部としての凸部２３ｂが下向きに突出して形成されている。
【００３７】
また、前記第１連結片１２ａの幅方向Ｗの両側面には、延出方向Ｃに沿って脱落防止部としての凸状レール１２ｄ、１２ｅが設けられている。第２受入れ部２３の第２凹状部２３ａは、その凸状レール１２ｄ、１２ｅの上面を受ける段付部２３ｄ、２３ｅを有し、一方の段付部２３ｄは、延設部２１ｂの幅方向両側の側面２１ｂ−１、２１ｂ−２における第２連結片２２ａとは反対側の側面２１ｂ−１に、前記延出方向Ｃに沿って全長にわたり形成されている。
【００３８】
第２受入れ部２３の内面であって、第２凹状部２３ａから第２載置部本体２１ａ側へ向けて少し入った箇所に、凸状レール１２ｄをスライド可能に保持する保持部として機能する凹状保持部２３ｆが形成されている。この凹状保持部２３ｆは、前記側面２１ｂ−１に設けられた突起２３ｇと段付部２３ｄとの間で形成される。なお、凹状保持部２３ｆで凸状レール１２ｄが保持された状態のとき、第２連結片２２ａの上表面２２ｂと天井面１３ｃとの間の隙間は短いものとなる。また、その側面２１ｂ−１には、凸状レール１２ｄの保持状態を確認するための窓２３ｈが設けられている。
【００３９】
前記第１連結片１２ａの上表面１２ｂには、この第１連結片１２ａが延出された方向Ｃに沿った複数箇所、図示例では４箇所に被係止部としての貫通する孔部１２ｃが形成されている。上記孔部１２ｃに代えて、窪んだ凹部であってもよい。なお、孔部１２ｃまたは凹部の数は、２以上の任意の数としてもよい。
【００４０】
上記第１連結片１２ａは、上表面１２ｂを受入れ部２３の平坦な天井面２３ｃに対面させて第２凹状部２３ａの内部に入れ、４箇所に設けた孔部１２ｃの１つに凸部２３ｂを係止して第２受入れ部２３に固定される。この固定により、第１載置部１１と第２載置部２１との間隔が規定される。また、これら４つの孔部１２ｃと１つの凸部２３ｂとで、第２固定手段が構成される。
【００４１】
したがって、この実施形態に係るエアコン室外機用置き台１による場合には、第１受入れ部１３がスライド可能な状態で第２連結部２２を受入れる構成であるので、第２連結片２２ａを第１凹状部１３ａの内部に挿入して、第２連結片２２ａの上表面２２ｂを第１凹状部１３ａの平坦な天井面１３ｃに対面させ、その挿入量を調整した上で、４箇所に設けた孔部２２ｃの１つに凸部１３ｂを係止して第２連結片２２ａを第１受入れ部１３に固定する。もう一方の第２受入れ部２３もスライド可能な状態で第１連結部１２を受入れる構成であるので、第１連結片１２ａを第２凹状部２３ａの内部に挿入して、第１連結片１２ａの上表面１２ｂを第２凹状部２３ａの平坦な天井面２３ｃに対面させ、その挿入量を調整した上で、４箇所に設けた孔部１２ｃの１つに凸部２３ｂを係止して第１連結片１２ａを第２受入れ部２３に固定する。これにより、両載置部１１、２１の間隔を規定することができる。したがって、エアコン室外機のサイズに応じた種類の置き台を用意する必要がなくなる。このため、エアコン室外機のサイズに拘わらず、一対の置き台用部材１０、２０を用意しておけばよく、狭い保管場所にも対応でき、しかも在庫管理を容易にすることができる。
【００４２】
また、凹状保持部１３ｆ、２３ｆが凹状部１３ａ、２３ａの幅方向Ｗの一方側のみに形成されているので、凸部１３ｂ、２３ｂの存在に拘わらず、連結片１２ａ、２２ａをスライドさせることが可能である。
【００４３】
また、本実施形態において、凹状保持部１３ｆ（２３ｆ）が凸状レール２２ｄ（１２ｄ）を保持し、かつ第２連結片２２ａの上表面２２ｂ（第１連結片１２ａの上表面１２ｂ）を第１凹状部１３ａの天井面１３ｃ（第２凹状部２３ａの天井面２３ｃ）で受ける（接触する）構成としているので、第１連結片１２ａまたは第２連結片２２ａの箇所を手で把持しても、置き台用部材１０、２０の連結が解けて分離することがない。
【００４４】
更に、本実施形態において、２つの置き台用部材１０、２０は下面の全域を開口させた構成としているので、図６（ａ）（ｂ）に示すように、２つの置き台用部材１０、２０を重ねることができるので、このことによっても保管場所に困らなくするようにできる。
【００４５】
なお、上述した実施形態では、第２連結片２２ａ（第１連結片１２ａ）に脱落防止部としての凸状レール２２ｄ（凸状レール１２ｄ）を設け、第１受入れ部１３（第２受入れ部２３）に凸状レール２２ｄ（凸状レール１２ｄ）をスライド可能に保持する保持部としての凹状保持部１３ｆ（２３ｆ）を設けるようにしているが、本考案はこれとは逆に、第１受入れ部（第２受入れ部）に脱落防止部としての凸状レールを設け、第２連結片（第１連結片）に凸状レールをスライド可能に保持する保持部としての凹状保持部を設けるようにしてもよい。
【００４６】
また、上述した実施形態では、第１連結片１２ａ（第２連結片２２ａ）に４つの孔部１２ｃ（孔部２２ｃ）を形成し、第２受入れ部２３（第１受入れ部１３）に凸部２３ｂ（凸部１３ｂ）を形成しているが、本考案はこれとは逆に、第１連結片１２ａ（第２連結片２２ａ）に４つの凸部を形成し、第２受入れ部２３（第１受入れ部１３）に１つの孔部または凹部を形成してもよい。
【００４７】
更に、上述した実施形態では、第１載置部１１がエアコン室外機の下面の右奥側の隅部（Ｂ１）が載置されるもので、第２載置部２１が右手前側の隅部（Ｂ２）が載置されるものとしているが、本考案はこれに限らない。例えば、図７に示すように、第１載置部１１がエアコン室外機の下面の左奥側の隅部（Ｂ３）が載置されるもので、第２載置部２１が左手前側の隅部（Ｂ４）が載置されるものとしてもよく、第１載置部１１がエアコン室外機の下面の左奥側の隅部（Ｂ３）が載置されるもので、第２載置部２１が右奥側の隅部（Ｂ１）が載置されるものとしてもよく、または、第１載置部１１がエアコン室外機の下面の左手前側の隅部（Ｂ４）が載置されるもので、第２載置部２１が右手前側の隅部（Ｂ２）が載置されるものとしてもよい。
【００４８】
更にまた、上述した実施形態では、一対の置き台用部材１０、２０それぞれの全体を合成樹脂製の一体成形品としているが、本考案はこれに限らず、部材１０、２０それぞれの一部を金属等の他の材料で構成してもよい。
【００４９】
更にまた、上述した実施形態では、一対の置き台用部材１０、２０それぞれが、載置部、連結部及び受入れ部等を有する構成としているが、本考案はこれに限らず、１つの連結部を一方の部材に設け、１つの受入れ部を他方の部材に設けるようにしても実施できることは勿論である。この構成においては、受入れ部を備えていない一方の部材の連結部を、連結部を備えていない他方の部材の受入れ部に挿入して、固定することも可能になる。
【符号の説明】
【００５０】
１    置き台
１０    第１の部材
１１    第１載置部
１２    第１連結部
１２ａ    第１連結片
１２ｃ    孔部（被係止部：第２固定手段）
１２ｄ、１２ｅ    凸状レール（脱落防止部）
１３    第１受入れ部
１３ａ    第１凹状部
１３ｂ    凸部（係止部：第１固定手段）
１３ｆ    凹状保持部（保持部）
２０    第２の部材
２１    第２載置部
２２    第２連結部
２２ａ    第２連結片
２２ｃ    孔部（被係止部：第１固定手段）
２２ｄ、２２ｅ    凸状レール（脱落防止部）
２３    第２受入れ部
２３ａ    第２凹状部
２３ｂ    凸部（係止部：第２固定手段）
２３ｆ    凹状保持部（保持部）
【図１】
0003151728.tif 000003
【図２】
0003151728.tif 000004
【図３】
0003151728.tif 000005
【図４】
0003151728.tif 000006
【図５】
0003151728.tif 000007
【図６】
0003151728.tif 000008
【図７】
0003151728.tif 000009